(57)【要約】【課題】花立て筒内の水の循環を良くし、水の減りを少なくして花もちが良くなるようにした花立て用中子筒を提供する。【解決手段】有底の花立ての内壁とに間隔を保てるように花立ての内径より小径にした中子筒１の外壁部上下に複数のピン２，２，…を放射状に植設すると共に、該ピンとピンの間に複数の縦長穴３，…と、下端部に複数の縦切抜穴４，…を穿設してなり、前記複数の縦長穴３，…は、中子筒１の外壁部上下に放射状に植設された上部のピン２，…と下部のピン２，…の間に穿設し、複数の縦切抜穴は、下部のピン２，…の下方部に、下端へ口拡がりにして切り抜かれた花立て用中子筒である。【選択図】図１
0003118149.tif 000002
【実用新案登録請求の範囲】
【請求項１】
有底の花立ての内径より小径にして、花立ての内壁とに間隔を保てるようにした中子筒であって、該中子筒の外壁部上下に複数のピンを放射状に植設すると共に、該ピンとピンの間に複数の縦長穴と、下端部に複数の縦切抜穴を穿設してなることを特徴とする花立て用中子筒。
【請求項２】
複数の縦長穴が、中子筒の外壁部上下に放射状に植設された上部のピンと下部のピンの間に穿設され、複数の縦切抜穴が、下部のピンの下方部に、下端へ口拡がりにして切り抜かれてなることを特徴とする請求項１記載の花立て用中子筒。
【請求項３】
縦切抜穴が、放射状に植設された下部のピンとピンの間に位置するようにして、下端へ口拡がりに切り抜かれてなることを特徴とする請求項１又は請求項２記載の花立て用中子筒。
【考案の詳細な説明】
【技術分野】
【０００１】
本考案は、花立て筒内の水の循環を良くし、水の減りを少なくして、花もちが良くなるようにした花立て用中子筒に関するものである。
【背景技術】
【０００２】
墓石等に立てる花立ては、陶器やプラスチック等で製作された有底の筒が一般的に使用されており、花数を多く立てた時の水の循環が悪く、水の減りも早いため、特に夏場は水温が上昇して花が長もちせず、水腐れして悪臭を発するなどの問題があるほか、花数が少ないと倒れたり、ばらついたりして整然と立てられない。
【０００３】
又、花立ての内径より小さな内径をもち、花立ての口から底に達する中子筒の外部に数個の補強支持柱を設けて、花立ての内壁との間隔を保ち、且つ中子筒の壁面に数個の通水孔及び補強支持柱の下部に循環水孔を設け、中子筒の内部と花立ての中の水が自由に通水し循環できるようにした花立ての中子筒は開示され、周知されている（例えば、特許文献１参照。）。
【０００４】
【特許文献１】実開平５−２１７６５号公報
【考案の開示】
【考案が解決しようとする課題】
【０００５】
しかしながら、上記特許文献１に記載されるような中子筒の外部に数個の補強支持柱を設けて花立ての内壁との間隔を保ち、中子筒の壁面に数個の通水孔及び補強支持柱の循環水孔を設けるやり方は、補強支持柱の端面と花立て内壁との間隙が近接し、花立て内壁と中子筒外壁の間隔が仕切られており、通水孔が丸穴で、循環水孔が補強支持柱の下部を僅かに切り抜いて設けてあるのみでは、水の循環が遮られて充分に行えない問題点を有する。
本考案は、上記問題点に鑑みてなされた新規な花立て用中子筒を提供することを課題とする。
【課題を解決するための手段】
【０００６】
上記課題を達成するために、本考案は以下記載するような手段、すなわち、有底の花立ての内径より小さくして、花立ての内壁とに間隔を保てるようにした中子筒であって、該中子筒の外壁部上下に複数のピンを放射状に植設すると共に、ピンとピンの間に複数の縦長穴と、下端部に複数の縦切抜穴を穿設してなることを特徴とする花立て用中子筒である。
【０００７】
又、前記複数の縦長穴は、中子筒の外壁部上下に放射状に植設された上部のピンと下部のピンの間に穿設され、複数の縦切抜穴は、下部のピンの下方部に、下端へ口拡がりにして切り抜かれてなることを特徴とし、該縦切抜穴は、放射状に植設された下部のピンとピンの間に位置するようにして、下端へ口拡がりに切り抜かれてなることを特徴とする。
【考案の効果】
【０００８】
上記手段に記載する如く、本考案によれば中子筒の外壁部上下に放射状に植設された複数のピンにより花立ての内壁と中子筒の外壁とに間隔が保たれ、花立ての内壁と中子筒の外壁との間隔に満たされた水が遮られることなく循環し、ピンとピンの間に穿設された複数の縦長穴や、下端部に穿設された縦切抜穴から中子筒内への水の循環が良く夏場でも水の温度上昇が少なくて、水の減りも少なく、水腐れや悪臭の発生が防止され、中子筒に立てられた花の花もちが良くなる。
【０００９】
又、花数が少なくても花立ての内径より小さな中子筒で支持されるから、倒れたりすることなく整然と花を立てることができると共に、花立てと中子筒の間から水が補給しやすい。
【００１０】
更に、構造的には極めてシンプルで、製作が容易であり、安価に提供することができる。
【考案を実施するための最良の形態】
【００１１】
本考案を実施するための最良の形態は、有底の花立ての内壁とに間隔を保てるように花立ての内径より小径にした中子筒の外壁部上下に複数のピンを放射状に植設すると共に、該ピンとピンの間に複数の縦長穴と、下端部に複数の縦切抜穴を穿設した形態であり、前記複数の縦長穴は、中子筒の外壁部上下に放射状に植設された上部のピンと下部のピンの間に穿設し、複数の縦切抜穴は、下部のピンの下方部に、下端へ口拡がりにして切り抜かれた形態である。以下実施例にて図面に基づき説明する。
【実施例１】
【００１２】
図１は、本考案の実施例を示す斜視図である。図示するように中子筒１の外壁部上下に複数のピン２，２，…が放射状に植設され、上部のピン２，…と、下部のピン２，…の間には複数の縦長穴３，…と、下部のピン２，…の下方部には複数の縦切抜穴４，…が、下端へ口拡がりに切り抜かれて穿設されており、該縦切抜穴は、前記放射状に植設された下部のピンとピンの間に位置するようにして穿設されている。
【００１３】
なお、本実施例では、中子筒１の外壁部上下に植設されたピン２，２，…は、上下４箇宛であるが、これに限定されるものではなく、例えば上下３箇所宛とか、上下６箇所宛とかの複数でも良く、穿設される縦長穴３，…や縦切抜穴４，…も植設されたピン２，２，…に応じてピンとピンの間に穿設すれば良い。
【００１４】
前記中子筒１は、材質寸法が限定されるべきものではないが、塩化ビニール等の合成樹脂製中空パイプを使用し、その大きさを決めるには、図２に示すように有底の花立て５に挿入して立てた時に、花立て５の内壁と中子筒１の外壁との間隔Ｓはおおむね７〜１２ｍｍ程度にして、高さは花立て５の上端面より数ｍｍ程度凹むような大きさとしてあり、花立て５の大きさに応じた大、中、小の寸法にして、外壁部上下にピン２，２，…を放射状に植設し、植設されたピン２，２，…の先端と、花立て５の内壁との間隙ＳＩがおおむね０〜１ｍｍ程度になるようにして花立て５に挿入しやすくし、中子筒１の中心が花立て５の中心に略一致するような位置に保てるようにしてある。ピン２，２，…により間隔Ｓを保つようにしてあるから該間隔を循環する水は遮られない。
【００１５】
前記ピン２も、材質や寸法が限定されるべきものではないが、外径が３〜４ｍｍ程度の硬質ゴム又は塩化ビニール等の丸棒を所要の長さに加工し、片端部を中子筒１の外壁部にあけられた穴に嵌入して接着剤等で固着してあり、ピン２の先端を丸めるか又は面取りするなどして花立て５に挿入しやすくすると共に、手触りが良くなるように配慮されている。ピン２の材質が硬質ゴムの場合は前記間隙ＳＩを０にし、硬質ゴム以外の伸縮しない材質の場合はおおむね０．５〜１ｍｍ程度の間隙をとる。
【００１６】
図３は、以上のようにしてなる本考案を、花立て５に挿入して花６を立てた状態を示す縦断面図である。花立て５に挿入された中子筒１には花６が複数本立てられ、花立て５に溜めた水７は、花立て５の内壁と中子筒１の外壁部との間隔を遮られることなく循環すると共に、中子筒１に穿設された複数の縦長穴３，…や縦切抜穴４，…から中子筒１内に入って、立てられた花６の茎部を満たしながら循環し、水の温度上昇は少なくなる。中子筒１は花立て５の略中心位置にして花６の本数が少なくても整然と立てられ、花立て５と中子筒１の間から水の補給がしやすくなる。
【図面の簡単な説明】
【００１７】
【図１】本考案の実施例を示す斜視図である。
【図２】本考案を花立てに挿入した状態を示す縦断面図である。
【図３】本考案を花立てに挿入して花を立てた状態を示す縦断面図である。
【符号の説明】
【００１８】
１  中子筒
２  ピン
３  縦長穴
４  縦切抜穴
５  花立て
６  花
７  水
Ｓ  間隔
ＳＩ  間隙
【図１】
0003118149.tif 000003
【図２】
0003118149.tif 000004
【図３】
0003118149.tif 000005